(57)【特許請求の範囲】
【請求項１】
基板（４０２）と、
複数のピクセル回路の少なくとも一部は前記基板（４０２）の第１の表面上に配置されるかまたは集積され、かつ表示マトリクスに配列される複数のピクセル回路（４０４）と、
前記基板（４０２）の第２の表面上に電子的に集積され、かつピクセル開口（２４０）を妨害しないように前記表示マトリクスの一部に沿って配列される複数の制御回路（４１８）と、
を備える表示装置。
【発明の詳細な説明】
【技術分野】
【０００１】
本発明は一般にディスプレイに関し、より詳細には、ポリシリコンデバイスを使用して表示パネルの設計に補足電子部品を組み込む高集積ディスプレイモジュールの構成、または複雑な電子機能をディスプレイの一部として構成するのを可能にする代替の技術に関する。
【背景技術】
【０００２】
液晶ディスプレイや有機発光ダイオード（ＡＭ−ＯＬＥＤ）ディスプレイなどの平面型ディスプレイは集積回路をもつ回路カードを使用して、表示機能を与え、ディスプレイのホストハードウェア構成と結合する。回路カードは、意図した用途のために表示性能を最大にする表示動作電圧、映像データおよびタイミング制御信号、ならびに表示較正電圧および電流を供給する。
【０００３】
平面型ディスプレイは、走査駆動部、データ駆動部、バックライトコントローラなどの、画像を駆動するための様々な電子制御回路を利用する。走査駆動部およびデータ駆動部は、表示パネルを駆動するためにアナログ機能ブロックとデジタル機能ブロックとを組み合わせる高集積シリコンデバイスである。ＬＣＤ駆動部は、一般に、一方の側でディスプレイ基板に、他方の側でシステムインタフェース回路カードに接続する可撓性ポリアミドまたはポリエステルフィルムに取り付けられる。システムインタフェース電子回路は、従来、ディスプレイ基板から離して置かれる別個の回路基板上に置かれてきた。そのような構成は、ディスプレイの総原価を増大させることがある第三者電子構成要素、補足回路カード、および高価なシステム相互接続を必要とすることがある。
【発明の開示】
【発明が解決しようとする課題】
【０００４】
したがって、表示制御エレクトロニクスおよび表示調光制御回路をディスプレイ設計に組み込む装置および方法を提供することが望ましい。さらに、本発明の他の望ましい特徴および特性は、添付の図面および本発明の背景技術と併せて、本発明の後続の詳細な説明および添付の特許請求の範囲から明らかになるであろう。
【課題を解決するための手段】
【０００５】
様々な例示的実施形態は、例えば薄膜トランジスタ（ＴＦＴ）基板上において集積電子工学をディスプレイ設計にどのように組み込むことができるかを実証する。
一実施形態では、単なる例として、本発明は基板を含む表示装置である。複数のピクセル回路が、少なくとも部分的に、基板の第１の表面上に配置されるかまたはその中に集積され、かつ表示マトリクスに配列される。制御デバイスは、基板の第２の表面上に配置されるかまたはその中に集積される。集積電子構成要素は、ディスプレイのピクセル開口を妨害しないように基板に集積されるかまたはその上に配置される。バックライトを備えた液晶ディスプレイの場合、光はバックライトからピクセル開口を介してディスプレイ基板を通過する。半透過型液晶ディスプレイの場合、ピクセル開口はバックライトからの光を通すことができ、または入射光光源からの光を反射することができる。これらの２つの場合に、補足電子構成要素は、ディスプレイ周囲に、またはディスプレイ基板中の行ラインおよび列ラインを塞ぐ光阻止層の下に配置することができる。有機発光ダイオード（ＯＬＥＤ）ディスプレイなどの自己放射ディスプレイの場合、光はピクセル開口から生じる。補足電子構成要素は光阻止層の下に配置することができ、または自己放射光が通過しないディスプレイの裏面に配置することができる。
【発明を実施するための最良の形態】
【０００６】
本発明は、以下に、以下の図面と共に説明され、同様の数字は同様の要素を示す。
本発明の以下の詳細な説明は単に本質的に例示的なものであり、本発明または本発明の用途および使用を限定するものではない。さらに、本発明の前述の背景技術または本発明の以下の詳細な説明で提示されたいずれの理論によっても拘束されるものではない。
【０００７】
例示的な実施形態の様々な態様が、機能的および／または論理的なブロック構成要素および様々な処理ステップに関して本明細書で説明される。そのようなブロック構成要素は、指定された機能を行うように構成された任意の数のハードウェア、ソフトウェア、および／またはファームウェア構成要素によって実現できることが理解されるべきである。例えば、本発明の一実施形態は、１つまたは複数のマイクロプロセッサまたは他の制御デバイスの制御の下で様々な機能を実行することができる様々な集積回路構成要素、例えば無線周波数（ＲＦ）デバイス、メモリ要素、デジタル信号処理要素、論理要素などを使用することができる。さらに、本発明は任意の数のデータ伝送プロトコルと共に実施することができ、本明細書で説明されるシステムは本発明の単なる一例示的応用である。
【０００８】
簡単のために、信号処理、データ伝送、信号伝達、ネットワーク制御、仕様のＩＥＥＥ８０２．１１群、およびシステムの他の機能的態様（およびシステムの個々の操作用構成要素）に関連する従来の技法は本明細書では詳細に説明されないことがある。さらに、本明細書に含まれる様々な図に示される接続ラインは、例示の機能関係および／または様々な要素間の物理的結合を示すものである。多くの代替または追加の機能的関係または物理的接続が実際の実施形態では存在することがあることに留意されたい。
【０００９】
本発明は実質的に従来技術を改良し、ディスプレイシステムの複雑さを低減し、ディスプレイ製品の寿命期間にわたる第三者デバイス老朽化に起因するシステム変化を低減し、ディスプレイシステムコストを低減する。本発明は補足ディスプレイシステム電子部品をディスプレイの設計に組み込み、それによって、特定の第三者電子構成要素、補足回路カード、および高価なシステム相互接続の必要をなくす。
【００１０】
従来技術の平面型ディスプレイ構成は豊富に存在する。従来技術は、単一の表示画像素子（ピクセル）を生成するために３色から４色のドットグループに配列された色フィルタを使用する一般に入手可能な多くの液晶ディスプレイを含む。さらに、前記ピクセルはディスプレイを生成するようにＸＹ格子に配列される。従来技術は、液晶ディスプレイを通して光を投射するためのバックライト、またはＡＭ−ＯＬＥＤディスプレイの場合の自己放射媒体を使用する。
【００１１】
一般に、剛性または可撓性の基板を使用して、基板上に形成されるかまたは製作されるディスプレイの構成要素を支持する。例えば、基板を使用して、いくつかの実施形態では薄膜トランジスタ（ＴＦＴ）アレイとしても知られているアクティブマトリクススイッチアレイを支持する。基板は、ガラス、プラスチック、ステンレス鋼、またはＴＦＴアレイ処理に適合するいくつかの他の適切な材料とすることができる。本説明では、ガラス基板が想定される。しかし、本明細書で提示された概念はステンレス鋼やプラスチックなどの他の基板材料に同様によく当てはまるので、この想定は本発明の範囲または適用範囲をガラスに限定しない。
【００１２】
本発明は、後でさらに説明されるように、ディスプレイから一般に取り除かれた電子制御回路をディスプレイそれ自体の上にまたは中に組み込む。回路は基板の背面に置くことができ、一般的な半導体処理技術を使用して基板に接着するかまたは基板上に配置することができる。さらに、回路は、ディスプレイに既に組み込まれている常駐エレクトロニクス（例えば薄膜トランジスタ）の傍らに配置することによって表示マトリクス内に集積することができる。そのような実装はディスプレイのピクセル構造を妨害しないように十分配慮して設計される。最終的に、回路を表示マトリクスの周辺端部に沿ってディスプレイ内に集積し、さらに、ピクセルを妨害しないように配置することができる。そのような回路は、特定の用途に適合するように基板上に配置するかまたは基板上に製作することができる。
【００１３】
後でさらに説明されるそのような制御回路の集積化は、液晶表示（ＬＣＤ）デバイス、有機発光ダイオード（ＯＬＥＤ）デバイスなどの発光ディスプレイ（ＬＥＤ）、電界放射ディスプレイ（ＦＥＤ）、およびプラズマ表示パネル（ＰＤＰ）デバイスを含む、多数のディスプレイ技術に適用することができる。さらに、この説明は、説明した技術のいくつかの変形、例えばいわゆる「超ねじれ」ディスプレイなどへの応用を有する。
【００１４】
図１に移ると、従来技術のＬＣＤディスプレイシステムの概念図が示される。システム１００は、観察者１２４が見るＬＣＤ表示パネル１０５を含む。イメージ制御回路カード１１０およびディスプレイ輝度制御回路カード１１５などのエレクトロニクス制御回路は、相互接続１１１および１１２によってＬＣＤパネル１０５に結合される。そのような制御回路は図示の表示パネル１０５から分かれて存在する。例えば、イメージ制御回路はカード１１０に集積される。システム１００は全体的ディスプレイシステムコントローラ１２０を含み、それは再び別個のカードに収容され、相互接続１２１および１２２を介してカード１１０および１１５にそれぞれ接続される。
【００１５】
図２Ａは、液晶表示パネル２００用の一般的なＴＦＴアレイの一部を概念的に示す。当業者なら理解するように、そのようなパネル２００を製造する例示的方法は薄膜トランジスタ（ＴＦＴ）基板などのベア基板から始まる。行と列のアレイが基板上に構成され、列は行と直交し、列の数は水平表示解像度を定め、行の数は垂直表示解像度を定める。
【００１６】
行と列のアレイは、行と列のマトリクスの形状をもつ光遮蔽とも呼ばれる光阻止層上に構成される。光阻止層は、光を放射しなければならないピクセル区域２４０または光をバックライトから表示観察者に通過させなければならないピクセル区域２４０から削除される。光阻止層は、光が光感受性のある薄膜トランジスタ（ＴＦＴ）２３０に影響を与えないようにする。さらに、行と列がＴＦＴスイッチと交差する場所が配置される。絶縁性パッド２５０が、ゲート−ソース短絡を防ぐためにゲートラインがソースラインを横切る点に配置される。ＴＦＴのゲートまたはイネーブル信号は最も近くの行バス２１０に接続され、ＴＦＴのソースまたはプログラミング端子は最も近くの列バス２２０に接続される。
【００１７】
ＴＦＴドレイン接続は、ＴＦＴを通って供給されるプログラミング電流または電圧に応じて、決まった数の輝度状態にプログラムすることができるピクセル２４０に結合される。表示行は行駆動部電子構成要素に接続され、表示列は列駆動部電子構成要素に接続される。本説明のために、ゲート駆動部および行駆動部という用語は同義的に用いられることがあり、同様に、列駆動部またはソース駆動部も同義に用いられることがある。ソース駆動部およびゲート駆動部は一般にシリコン基板上に構成され、それがさらに可撓性箔に取り付けられ、次いでそれは一方の側でディスプレイアセンブリに、他方の側で電気回路カードに取り付けることができる。ゲート駆動部およびソース駆動部は、非常に小さい機械的占有面積で高度に集積された機能を与える。
【００１８】
図２Ｂは、別の例示的表示技術であるアクティブマトリクスＯＬＥＤディスプレイ２６０の一部を概念的に示す。ＯＬＥＤは液晶材料を有していない。ＯＬＥＤは、基板２６２と上部ガラスカバー２７０（またはプラスチックカバー）との間に有機発光ダイオードを形成する多層スタックの薄い有機膜２６８を有する。上部ガラス層および下部ガラス層は、ＯＬＥＤ層スタックに接触する金属堆積物を有する。下部ガラスはアノード２６６とすることができ、上部ガラスはカソード２７０とすることができる。アクティブマトリクスＯＬＥＤディスプレイでは、アノード層２６６は、マトリクスを形成する薄膜トランジスタ（ＴＦＴ）アレイ２６４の上に置く。電流が下部ガラスから有機層を通って上部層に流れるとき、光は有機発光層から放射される。他の有機層が促進するのに役立つ。
【００１９】
アクティブマトリクスＯＬＥＤディスプレイ用のＴＦＴアレイは、ＬＣＤ用のアクティブマトリクスアレイよりも複雑であるが、類似している。ＬＣＤはピクセル当たり１つのＴＦＴしか必要としない。ＯＬＥＤディスプレイは一般にピクセルに２つから５つのＴＦＴを有する。これは、表示ピクセルが作動しているとき、連続的に流れる電流でＯＬＥＤがプログラムされなければならないことから生じる。ＬＣＤは、液晶材料特性を変化させるのに時間的に変化する電圧を使用し、定常電流がＬＣＤに流れない。ＯＬＥＤの追加のＴＦＴは、ＴＦＴの性能を安定させ、ＯＬＥＤディスプレイの輝度を設定するためにプログラムされた電流を供給するために必要である。
【００２０】
ディスプレイの通常使用されない区域が集積電子工学を収容し、それによって、ディスプレイを操作するための補足電子構成要素の必要性を低減するかまたはなくすことができる点で、以下の説明は様々な平面型ディスプレイへの応用において類がない。これらの区域を使用するとシステムの複雑さおよびコストを低減し、かついくつかの部品老朽化問題をなくすことができる。任意の特定の平面型ディスプレイの技術に応じて、ＴＦＴ基板の裏側、ＴＦＴ基板の周辺区域、または光遮蔽の下の区域を集積電子工学用に使用することができ、さもなければ区域は補助回路カードに配置されることになる。
【００２１】
前の説明を念頭において、図３は本発明による例示的ディスプレイシステムの概念図である。単一の表示装置３００は、基板背面３１０と基板前面３２０との間で概念的に分割される。ディスプレイ３００は、再び観察者１２４によって見られる。制御電子回路を含む様々な制御エレクトロニクスは、基板の背面３１０上またはその中に集積される。そのような制御エレクトロニクスおよび回路は、１つまたは複数の個別の構成要素または回路を含むことができるが、「制御デバイス」または「制御回路」と呼ぶことがある。本説明のために、「制御回路」または「制御デバイス」は、ピクセル回路を「オン」または「オフ」に効果的に切り替える常駐ＴＦＴのような構成要素を指さない。むしろ、本説明のために、常駐ＴＦＴおよび同様の構成要素は、常駐電子回路の範疇の一部としてグループ化され、「ピクセル回路」と呼ぶことがある。これらのピクセル回路は、先にディスプレイ自体から離して置かれた制御および駆動部エレクトロニクスからそれらを区別するように部分的にそれ自体明示される。
【００２２】
ディスプレイの前面３２０への電気接続は相互接続３３０によって維持される。一実施形態では、相互接続３３０は可撓性相互接続フォイルなどの構造を含むことができる。ディスプレイ３００は相互接続３５０を介してシステムコントローラ３４０に結合されるが、他の実施形態では、コントローラ３４０は背面３１０の中または上に集積することもできる。
【００２３】
当業者なら理解するように、様々な電子制御構成要素および回路は特定のタイプのディスプレイに応じて変更することができる。例えば、制御構成要素は、表示マトリクスに集積されたピクセル回路を選択するためにゲート電圧を印加するための走査駆動部を含むことができる。制御構成要素は、データ電圧をピクセル回路に印加するためのソース駆動部を含むことができる。非自己放射ディスプレイでは、制御構成要素はバックライト制御信号を印加するためのバックライトコントローラを含むことができる。最後に、制御構成要素は制御信号を印加するためのタイミングコントローラを含むことができる。同様のエレクトロニクスおよび関連する回路をさらに含むことができる。
【００２４】
さらに説明されるように、そのような電子制御構成要素および回路は、マスキング、エッチング、フォトリトグラフィ、化学気相堆積（ＣＶＤ）などの材料堆積などのような半導体産業で知られている従来の技法を使用して、基板の背面３１０上に配置するかまたはその中に集積することができる。他の実施形態では、回路および構成要素が形成され、ダイ取付け（ＤＡ）接着剤などの接着材料を使用して基板に接着することができる。さらなる実施形態では、制御回路および構成要素は既存の回路および構成要素と共に表示マトリクスの前面に集積することができる。最後に、制御回路は、基板の前面の周辺端部に沿って集積することができる。後者の実施形態の両方で、そのようなエレクトロニクスの配置は、表示開口を通る光の流れを妨害しないかまたは自己放射ディスプレイから放射された光を妨害しないように行うことができる。
【００２５】
図４Ａは、本発明によるＬＣＤディスプレイ４００の一部の第１の例示的な概念的実施形態を示す。説明を続ける前に、本描写は図２Ａによって説明されたＬＣＤ技術に関連するが、本説明によって説明される集積化は図２Ｂによって説明されたＯＬＥＤディスプレイ技術などの様々なディスプレイに組み込むことができることが理解されよう。例えば、図２ＡはＬＣＤ技術を示すが、当業者は他の表示技術に関連する類似性を理解されよう（例えば、ＬＣＤ、ＯＬＥＤなどの様々な構成要素は全て基板の第１の表面上に配置され、かつ少なくとも部分的に表示マトリクスに配列される）。
【００２６】
図４Ａに示される図示の例示的実施形態では、様々な制御構成要素および回路は、ディスプレイ基板４０２の背面上に形成されるかまたはその中に集積される。基板の前面に、そのような表示装置で一般に見られる様々な構造が堆積される。例示の目的で、これらの構造の様々なサブ構成要素は示されないが、当業者なら理解することができる。ＴＦＴ４０４は基板上に堆積され、その一部は液晶４０６によって囲まれる。絶縁性パッド４０８およびシール４１０の一部が示される。構造４１２は、表示マトリクスを形成する光阻止部分を含む。構造４１２の別の部分は下にある液晶からの光の放射を可能にするために透明である。偏光層４１４が構造４１２上に配置される。第２の偏光層は、通常、ディスプレイ内に集積されることになるが、便宜のために示されない。矢印４１６は、電圧を印加された液晶から観察者への可視光線の移動を表す。
【００２７】
基板４０２の裏面に移って、一連の電子構成要素４１８が接着剤４２０を使用して基板上に配置されるのが分かる。再び、代替として、構成要素は基板上に直接形成されるか、または一連の前述の製造ステップを使用して基板内に集積される。リード線４２２の一部が電子構成要素４１８を接続しているのが示される。リード線４２２は可撓性フォイル相互接続などの大きい導電性デバイスの一部とすることができ、または接合パッドのような構造に固定することができるリードワイヤを構成することができる。リード線４２２は、ＴＦＴ４０４とディスプレイの前面の関連するエレクトロニクスおよび背面の制御構成要素との間の電気接続を与える相互接続の一部とすることができる。
【００２８】
電子構成要素４１８は、トランジスタ、ダイオード、抵抗、キャパシタなどの個別の構成要素と、集積回路とを含むことができる。後でさらに説明されるように、電子構成要素は、ワイヤボンディングなどの当技術分野で知られている様々な手段を使用して、または基板自体の中もしくは上に形成された導電層の使用によって接続することができる。
【００２９】
図４Ｂに移ると、本発明の第２の概念的な例示的実施形態が示され、それはＬＣＤデバイス４３０の一部を示す。構造４１２、偏光層４１４などの様々なディスプレイ構成要素が再び示される。電子構成要素４１８は構造４１２の光阻止部分の下に配置されるのが分かる。図示の実施形態では、ＴＦＴおよび関連するＴＦＴスイッチ（図示せず）と共に様々な電子構成要素４１８が表示マトリクスに沿って一緒に集積される。本例示は側面図表示であるので、構成要素４１８だけが示される。当業者なら理解するように、制御構成要素４１８は光阻止部分の下の使用されない空間を満たすように構成し方位を合わせることができる。再び、そのような実装は、アクティブマトリクスＯＬＥＤディスプレイなどの他の技術に適用することができる。各構成および方位に関して、設計者は、ピクセル開口からの光の流れを妨害しないように既存のエレクトロニクスと共に制御構成要素を十分配慮して配置することができる。再び図４Ａに戻って、基板４０２の半透明性が望ましい（例えばバックライトを使用するディスプレイで）場合、制御構成要素４１８は、さらに、光の流れを妨害しないように基板の前面の表示マトリクスに対応するように基板の背面の中または上に十分配慮して配置することができる。
【００３０】
図４Ｃは、追加の表示装置４３２の概念的な平面図を示す。表示装置４３２は、前述の液晶表示（ＬＣＤ）デバイス、有機発光ダイオード（ＯＬＥＤ）デバイスなどの発光ディスプレイ（ＬＥＤ）、電界放射ディスプレイ（ＦＥＤ）、およびプラズマ表示パネル（ＰＤＰ）デバイスなどの様々な表示装置とすることができる。ここで再び、行バス（ゲートライン）２１０の表示マトリクスが列バス（ソースライン）２２０と共に示される。表示マトリクスは特定の表示技術に応じて変更することができる。行バスおよび列バスは光阻止構造によって覆われ、それが図示の点線で概念的に示される。構成要素４３４、４３６、および４３８などの一連の電子制御構成要素４１８は光阻止構造の下に配置される。リード線４４０は構成要素４３４を４３６に接続する。再び、当業者なら理解するように、リード線４４０はワイヤ接合、または基板の中に集積されるかもしくはその上に形成される導電層とすることができる。
【００３１】
構成要素４３４、４３６、４３８などは、ピクセル部分２４０を妨害しないように光阻止部分の下に十分配慮して配置される。構成要素４３４、４３６、および４３８は既存のＴＦＴ４０４ならびに関連する回路および構成要素と組み合わせて配置される。構成要素４３４、４３６、および４３８は、例えば、単一または多数の導電層の一部として既存の回路に集積することができる。ここで再び、構成要素４３４、４３６、４３８などは、抵抗、ダイオード、キャパシタなどの個別の構成要素、ならびに集積回路などの集積構成要素またはダイさえも含むことができる。
【００３２】
図４Ｄに移ると、追加の例示的ディスプレイの一部の追加の概念的な平面図４５０が本発明の代替の実施形態を示すために描かれる。表示マトリクスは再び特定の表示技術に応じて変更することができる。再び、表示マトリクスは、個々のピクセル２４０を画定する光阻止部分の下に配置された行バス２１０および列バス２２０で確かめられる。ＴＦＴ４０４は例示の便宜のために示されない。様々な制御構成要素および関連する回路は、表示マトリクスの周辺端部に沿って配置される。再び、概念的な目的のために、制御回路および回路４１８は構成要素４３４、４３６、および４３８を含む。リード線４４０は構成要素４３４を４３６に接続する。構成要素４３４、４３６、４３８などは、表示を妨害しないようにディスプレイの周辺端部に沿って十分配慮して配置される。構成要素は、ディスプレイおよびディスプレイ基板の付加的な寸法（幅および長さ）を制限するのを意図した高密度実装で方位を合わせ構成することができる。一実施形態では、構成要素は特定の用途に適するようにディスプレイの単一の側または単一の区域に沿って完全に方位を合わせることができる。図４Ｄの実施形態は、常駐エレクトロニクスが様々な層の周辺端部の周りに集積される受動マトリクスＯＬＥＤディスプレイのような技術に適することがある。そのような場合、制御エレクトロニクスは、単に、そのような常駐エレクトロニクスと並べて集積することができる。
【００３３】
本明細書で説明された例示の実施形態は本発明の範囲、適用、または構成を全く限定するものではないことを理解すべきである。むしろ、前述の詳細な説明は、説明された１つまたは複数の実施形態を実施するために当業者に便利なロードマップを提供するであろう。添付の特許請求の範囲に記載された本発明の範囲およびその法的等価物から逸脱することなく要素の機能および構成に様々な変更を加えることができることが理解されるべきである。
【図面の簡単な説明】
【００３４】
【図１】従来技術の液晶表示（ＬＣＤ）システムの概念図である。
【図２Ａ】例示的な従来技術のＬＣＤ表示マトリクスの図である。
【図２Ｂ】例示的な従来技術のＯＬＥＤ表示マトリクスの図である。
【図３】本発明による例示的ディスプレイシステムの概念図である。
【図４Ａ】第１の例示的ディスプレイの破断図である。
【図４Ｂ】第２の例示的ディスプレイの破断図である。
【図４Ｃ】第３の例示的ディスプレイの概念的な平面図である。
【図４Ｄ】第４の例示的ディスプレイの概念的平面図である。
【符号の説明】
【００３５】
１００  システム
１０５  ＬＣＤ表示パネル
１１０  イメージ制御回路カード
１１５  ディスプレイ輝度制御回路カード
１２０  全体的ディスプレイシステムコントローラ
１２４  観察者
２００  液晶表示パネル
２１０  行バス
２２０  列バス
２３０  薄膜トランジスタ
２４０  ピクセル区域
２５０  絶縁性パッド
２６０  アクティブマトリクスＯＬＥＤディスプレイ
２６２  基板
２６４  薄膜トランジスタアレイ
２６６  アノード
２６８  薄い有機膜
２７０  上部ガラスカバー
３００  表示装置
３４０  システムコントローラ
４００  ＬＣＤディスプレイ
４０２  ディスプレイ基板
４０４  ＴＦＴ
４０６  液晶
４０８  絶縁性パッド
４１０  シール
４１４  偏光層
４１８  電子構成要素
４２０  接着剤
４３０  ＬＣＤデバイス
４３２  表示装置
【図１】
0005356747.tif 000002
【図２Ａ】
0005356747.tif 000003
【図２Ｂ】
0005356747.tif 000004
【図３】
0005356747.tif 000005
【図４Ａ】
0005356747.tif 000006
【図４Ｂ】
0005356747.tif 000007
【図４Ｃ】
0005356747.tif 000008
【図４Ｄ】
0005356747.tif 000009